(57)【要約】  【課題】  携帯端末装置上で視聴中のテレビ放送に基づく映像を、煩雑な操作を要することなく、他のテレビ放送受像機で表示させることのできる携帯端末装置を提供する。  【解決手段】  テレビ放送を受信するチューナ５と、基地局と通信信号の送受信を行う無線部３と、チューナ５により受信されたテレビ放送及び／または無線部３により受信された通信信号に含まれるテレビ放送に基づく映像を表示する第１表示部１２とを備える携帯端末装置５０において、液晶テレビ５６を遠隔操作するためのリモコンデータとチューナ５及び無線部３により受信可能なテレビ放送の放送局情報を含むチャネルデータとを記憶する第２メモリ１７と、第１表示部１２により表示中の映像に対応する放送局への選局を液晶テレビ５６に対して指示するリモコン信号を前記リモコンデータとチャネルデータに基づいて生成し光通信部２１を介して送信する主制御部２４を設ける。【選択図】      図２
2005210260.tif 000002
【特許請求の範囲】
【請求項１】
テレビ放送を受信するテレビ放送受信手段と、該テレビ放送受信手段により受信されたテレビ放送に基づく映像を表示する表示手段とを備える携帯端末装置において、
テレビ放送受像機を遠隔操作するためのリモコンデータと前記テレビ放送受信手段で受信可能なテレビ放送の放送局情報を含むチャネルデータとを記憶する記憶手段と、
前記表示手段により表示中の映像に対応する放送局への選局を前記テレビ放送受像機に対して指示する操作信号を前記リモコンデータとチャネルデータに基づいて生成する制御手段と、
前記操作信号を送信する送信手段と、
を設けたことを特徴とする携帯端末装置。
【請求項２】
無線基地局と通信信号の送受信を行う通信手段と、前記通信手段により受信された通信信号に含まれるテレビ放送に基づく映像を表示する表示手段とを備える携帯端末装置において、
テレビ放送受像機を遠隔操作するためのリモコンデータと前記通信手段により受信可能なテレビ放送の放送局情報を含むチャネルデータとを記憶する記憶手段と、
前記表示手段により表示中の映像に対応する放送局への選局を前記テレビ放送受像機に対して指示する操作信号を前記リモコンデータとチャネルデータに基づいて生成する制御手段と、
前記操作信号を送信する送信手段と、
を設けたことを特徴とする携帯端末装置。
【請求項３】
テレビ放送を受信するテレビ放送受信手段と、無線基地局と通信信号の送受信を行う通信手段と、前記テレビ放送受信手段により受信されたテレビ放送及び／または前記通信手段により受信された通信信号に含まれるテレビ放送に基づく映像を表示する表示手段とを備える携帯端末装置において、
テレビ放送受像機を遠隔操作するためのリモコンデータと前記テレビ放送受信手段及び／または前記通信手段により受信可能なテレビ放送の放送局情報を含むチャネルデータとを記憶する記憶手段と、
前記表示手段により表示中の映像に対応する放送局への選局を前記テレビ放送受像機に対して指示する操作信号を前記リモコンデータとチャネルデータに基づいて生成する制御手段と、
前記操作信号を送信する送信手段と、
を設けたことを特徴とする携帯端末装置。
【請求項４】
前記制御手段は、前記表示手段により前記映像を表示しているときであって、操作部が操作されたときに前記操作信号を生成することを特徴とする請求項１〜請求項３のいずれかに記載の携帯端末装置。
【請求項５】
前記制御手段は、前記表示手段により前記映像を表示しているときであって、前記携帯端末装置の駆動電源としての電池の残容量が所定量よりも少なくなったときに前記操作信号を生成することを特徴とする請求項１〜請求項３のいずれかに記載の携帯端末装置。
【請求項６】
前記制御手段は、前記表示手段により前記映像を表示しているときであって、前記通信手段を介して通話着信があったときに前記操作信号を生成することを特徴とする請求項２または請求項３に記載の携帯端末装置。
【請求項７】
前記制御手段は、前記表示手段により前記映像を表示しているときであって、前記通信手段を介しての通話着信への応答があったときに前記操作信号を生成することを特徴とする請求項２または請求項３に記載の携帯端末装置。
【請求項８】
前記操作信号は、前記テレビ放送受像機の電源をオンにする電源オン信号を含んでいることを特徴とする請求項１〜請求項３のいずれかに記載の携帯端末装置。
【請求項９】
前記操作信号は、操作部の操作により選択された放送局への選局を前記テレビ放送受像機に対して指示する信号を含んでいることを特徴とする請求項１〜請求項３のいずれかに記載の携帯端末装置。
【請求項１０】
前記操作信号を生成する前に、該操作信号を生成するか否かをユーザに確認するようにしたことを特徴とする請求項１〜請求項３のいずれかに記載の携帯端末装置。
【請求項１１】
前記操作信号を送信する際に、該操作信号を送信していることをユーザに通知するようにしたことを特徴とする請求項１〜請求項３のいずれかに記載の携帯端末装置。
【請求項１２】
前記操作信号を送信した後に、前記表示手段による前記映像の表示を停止するようにしたことを特徴とする請求項１〜請求項３のいずれかに記載の携帯端末装置。
【請求項１３】
前記映像の表示を停止する前に、該映像の表示を停止するか否かをユーザに確認するようにしたことを特徴とする請求項１２に記載の携帯端末装置。
【請求項１４】
前記映像の表示を停止する際に、該映像の表示を停止することをユーザに通知するようにしたことを特徴とする請求項１２に記載の携帯端末装置。
【請求項１５】
前記制御手段は、操作部の数字キーの操作により入力された数字に対応する放送局のテレビ放送を受信するように前記テレビ放送受信手段に指示することを特徴とする請求項１または請求項３に記載の携帯端末装置。
【請求項１６】
前記制御手段は、操作部の数字キーの操作により入力された数字に対応する放送局のテレビ放送が含まれる通信信号を受信するように前記通信手段に指示することを特徴とする請求項２または請求項３に記載の携帯端末装置。
【発明の詳細な説明】
【技術分野】
【０００１】
本発明は、携帯端末装置に関するものであり、特に、テレビ放送を視聴可能な携帯端末装置に関するものである。
【背景技術】
【０００２】
従来より、テレビ放送の受信機能を搭載したパーソナルコンピュータが普及しており、また、近年では、地上波デジタルテレビ放送を受信可能なモバイル型のパーソナルコンピュータや携帯電話機が提案されている。
【０００３】
更に、通信回線を経由してテレビ放送を受信することのできる情報処理装置も提案されている（例えば、特許文献１参照）。
【特許文献１】特開２００３―６９９１０号公報
【発明の開示】
【発明が解決しようとする課題】
【０００４】
モバイル型のパーソナルコンピュータや携帯電話機等に代表される携帯端末装置は、携帯性を確保するために小型化されており、その表示画面は小さいものになっている。従って、テレビ放送受信機能を搭載した携帯端末装置でテレビ放送を視聴する場合、その携帯端末装置上で表示される映像は小さくなり、迫力のあるものを期待することができないことや、通話着信に応じて携帯端末装置上での映像の表示を中断しなくてはいけないことから、状況に応じて、携帯端末装置で視聴中の映像を据え置き型等の他のテレビ放送受像機に表示させるという要求が生じることがある。
【０００５】
このような要求に応じて、携帯端末装置上で表示されている映像を他のテレビ放送受像機で表示させるようにするためには、他のテレビ放送受像機を直接操作するか、または、そのテレビ放送受像機のリモコン装置を操作して、テレビ放送受像機の電源操作や選局操作を行う必要があり、それらの操作に時間がかかるとともに面倒であるという問題があった。特に、ディジタル地上波放送の開始に伴って予測される多チャネル時代においては、視聴中の放送局を選局する操作の更なる煩雑化が予想される。
【０００６】
本発明は、上記の点に鑑み、携帯端末装置上で視聴中のテレビ放送に基づく映像を、煩雑な操作を要することなく、他のテレビ放送受像機で表示させることのできる携帯端末装置を提供することを目的とする。
【課題を解決するための手段】
【０００７】
上記目的を達成するために本発明は、テレビ放送を受信するテレビ放送受信手段と、該テレビ放送受信手段により受信されたテレビ放送に基づく映像を表示する表示手段とを備える携帯端末装置において、テレビ放送受像機を遠隔操作するためのリモコンデータと前記テレビ放送受信手段で受信可能なテレビ放送の放送局情報を含むチャネルデータとを記憶する記憶手段と、前記表示手段により表示中の映像に対応する放送局への選局を前記テレビ放送受像機に対して指示する操作信号を前記リモコンデータとチャネルデータに基づいて生成する制御手段と、前記操作信号を送信する送信手段とを設けたものである。
【０００８】
この構成によると、テレビ放送受像機の選局を携帯端末装置で表示中の映像に対応する放送局へ遠隔操作で切り換えるための操作信号を携帯端末装置から送信することにより、携帯端末装置で視聴中のテレビ放送受信手段で受信したテレビ放送に基づく映像を、煩雑な操作を要することなく、据え置き型等のテレビ放送受像機で表示させることができる。
【０００９】
また、本発明は、無線基地局と通信信号の送受信を行う通信手段と、前記通信手段により受信された通信信号に含まれるテレビ放送に基づく映像を表示する表示手段とを備える携帯端末装置において、テレビ放送受像機を遠隔操作するためのリモコンデータと前記通信手段により受信可能なテレビ放送の放送局情報を含むチャネルデータとを記憶する記憶手段と、前記表示手段により表示中の映像に対応する放送局への選局を前記テレビ放送受像機に対して指示する操作信号を前記リモコンデータとチャネルデータに基づいて生成する制御手段と、前記操作信号を送信する送信手段とを設けたものである。
【００１０】
この構成によると、テレビ放送受像機の選局を携帯端末装置で表示中の映像に対応する放送局へ遠隔操作で切り換えるための操作信号を携帯端末装置から送信することにより、携帯端末装置で視聴中の通信手段で受信した通信信号に含まれるテレビ放送に基づく映像を、煩雑な操作を要することなく、据え置き型等のテレビ放送受像機で表示させることができる。
【００１１】
また、本発明は、テレビ放送を受信するテレビ放送受信手段と、無線基地局と通信信号の送受信を行う通信手段と、前記テレビ放送受信手段により受信されたテレビ放送及び／または前記通信手段により受信された通信信号に含まれるテレビ放送に基づく映像を表示する表示手段とを備える携帯端末装置において、テレビ放送受像機を遠隔操作するためのリモコンデータと前記テレビ放送受信手段及び／または前記通信手段により受信可能なテレビ放送の放送局情報を含むチャネルデータとを記憶する記憶手段と、前記表示手段により表示中の映像に対応する放送局への選局を前記テレビ放送受像機に対して指示する操作信号を前記リモコンデータとチャネルデータに基づいて生成する制御手段と、前記操作信号を送信する送信手段とを設けたものである。
【００１２】
この構成によると、テレビ放送受像機の選局を携帯端末装置で表示中の映像に対応する放送局へ遠隔操作で切り換えるための操作信号を携帯端末装置から送信することにより、携帯端末装置で視聴中のテレビ放送受信手段または通信手段で受信したテレビ放送に基づく映像を、煩雑な操作を要することなく、据え置き型等のテレビ放送受像機で表示させることができる。
【００１３】
また、例えば、前記制御手段は、前記表示手段により前記映像を表示しているときであって、操作部が操作されたときに前記操作信号を生成すると良い。このようにすると、前記操作部の簡単な操作を行うだけで、携帯端末装置上で視聴中の映像を据え置き型等のテレビ放送受像機で表示させることができる。
【００１４】
また、例えば、前記制御手段は、前記表示手段により前記映像を表示しているときであって、前記携帯端末装置の駆動電源としての電池の残容量が所定量よりも少なくなったときに前記操作信号を生成すると良い。このようにすると、前記電池の残容量が少なくなり携帯端末装置での映像の視聴が行えなくなる前に、携帯端末装置上で視聴中の映像を据え置き型等のテレビ放送受像機で表示させることができる。
【００１５】
また、例えば、前記制御手段は、前記表示手段により前記映像を表示しているときであって、前記通信手段を介して通話着信があったときに前記操作信号を生成すると良い。このようにすると、通話着信に応じて携帯端末装置上での映像の表示を中断しなくてはいけない場合であっても、携帯端末装置上で視聴中の映像を据え置き型等のテレビ放送受像機で表示させ、映像の視聴を継続することができる。
【００１６】
また、例えば、前記制御手段は、前記表示手段により前記映像を表示しているときであって、前記通信手段を介しての通話着信への応答があったときに前記操作信号を生成すると良い。このようにすると、携帯端末装置で通話を行うために携帯端末装置での映像の視聴を中断しなくてはいけない場合であっても、携帯端末装置上で視聴中の映像を据え置き型等のテレビ放送受像機で表示させ、映像の視聴を継続することができる。
【００１７】
また、例えば、前記操作信号は、前記テレビ放送受像機の電源をオンにする電源オン信号を含んでいると、携帯端末装置上で視聴中の映像を表示させる据え置き型等の他のテレビ放送受像機の電源がオフの状態のときでも、携帯端末装置から遠隔操作でそのテレビ放送受像機の電源をオンにすることができる。
【００１８】
また、例えば、前記操作信号は、操作部の操作により選択された放送局への選局を前記テレビ放送受像機に対して指示する信号を含んでいると、携帯端末装置から遠隔操作で据え置き型等のテレビ放送受像機のチャネル切換を行うことができる。
【００１９】
また、例えば、前記操作信号を生成する前に、該操作信号を生成するか否かをユーザに確認するようにすると、ユーザの意志に反してテレビ放送受像機が遠隔操作されることを防止できる。
【００２０】
また、例えば、前記操作信号を送信する際に、該操作信号を送信していることをユーザに通知するようにすると、ユーザは携帯端末装置によりテレビ放送受像機が遠隔操作されていることを認識できる。
【００２１】
また、例えば、前記操作信号を送信した後に、前記表示手段による前記映像の表示を停止するようにすると、ユーザの映像の視聴を中断することなく、携帯端末装置の電力消費を抑制できる。
【００２２】
また、例えば、前記映像の表示を停止する前に、該映像の表示を停止するか否かをユーザに確認するようにすると、ユーザの意志に反して携帯端末装置での映像の表示が停止されることを防止できる。
【００２３】
また、例えば、前記映像の表示を停止する際に、該映像の表示を停止することをユーザに通知するようにすると、ユーザは携帯端末装置での映像の表示が停止することを認識できる。
【００２４】
また、例えば、前記制御手段は、操作部の数字キーの操作により入力された数字に対応する放送局のテレビ放送を受信するように前記テレビ放送受信手段に指示すると、テレビ放送受信手段を備えた携帯端末装置において、視聴するテレビ放送の選局が容易に行えるようになり、携帯端末装置の操作性の向上を図ることができる。
【００２５】
また、例えば、前記制御手段は、操作部の数字キーの操作により入力された数字に対応する放送局のテレビ放送が含まれる通信信号を受信するように前記通信手段に指示すると、通信手段を備えた携帯端末装置において、視聴するテレビ放送の選局が容易に行えるようになり、携帯端末装置の操作性の向上を図ることができる。
【発明の効果】
【００２６】
本発明によると、テレビ放送を受信するテレビ放送受信手段と、無線基地局と通信信号の送受信を行う通信手段と、前記テレビ放送受信手段により受信されたテレビ放送及び／または前記通信手段により受信された通信信号に含まれるテレビ放送に基づく映像を表示する表示手段とを備える携帯端末装置において、テレビ放送受像機を遠隔操作するためのリモコンデータと前記テレビ放送受信手段及び／または前記通信手段により受信可能なテレビ放送の放送局情報を含むチャネルデータとを記憶する記憶手段と、前記表示手段により表示中の映像に対応する放送局への選局を前記テレビ放送受像機に対して指示する操作信号を前記リモコンデータとチャネルデータに基づいて生成する制御手段と、前記操作信号を送信する送信手段とを設けたので、携帯端末装置からテレビ放送受像機の選局を携帯端末装置で表示中の映像に対応する放送局へ遠隔操作で切り換えるための操作信号を送信することにより、携帯端末装置で視聴中のテレビ放送受信手段または通信手段で受信したテレビ放送に基づく映像を、煩雑な操作を要することなく、据え置き型等のテレビ放送受像機で表示させることができる。
【発明を実施するための最良の形態】
【００２７】
以下に、本発明の実施形態を図面を参照して詳細に説明する。図１は、本発明の実施形態の携帯電話機を用いたテレビ放送受信システムの概要を示す説明図、図２は図１の携帯電話機の構成を示す機能ブロック図、図３は図１の携帯電話機がリモコン操作する液晶テレビ（テレビ放送受像機）の構成を示す機能ブロック図、図４は図１の携帯電話機の外観構成の一例を示す外観図、図５は図１の携帯電話機の外観構成の他の例を示す外観図、図６は図１の携帯電話機の外観構成の更に他の例を示す外観図、図７は図１の携帯電話機におけるチャネルデータ及びリモコンデータのデータ構成を示す説明図、図８及び図９は図１の携帯電話機におけるテレビ放送視聴開始時の動作制御を示すフローチャート、図１０及び図１１は図１の携帯電話機におけるテレビ放送視聴開始時の画面遷移を示す説明図、図１２乃至図１４は図１の携帯電話機におけるテレビ放送視聴時の動作制御を示すフローチャート、図１５乃至図１７は図１の携帯電話機におけるテレビ放送視聴時の画面遷移を示す説明図である。
【００２８】
図１において、５０は本発明の実施形態の携帯電話機であり、携帯電話機５０は電波塔５１ａから送信される地上波デジタルテレビ放送や、電波塔５１ｂから送信されるモバイルテレビ放送などを受信して視聴することができる機能を有している。また、携帯電話機５０は、ゲートウェイ５４ａ及び通信回線５５ａを介してインターネット５３に接続された基地局（移動体通信用）５２との間で移動体通信用信号（Ｗ−ＣＤＭＡ信号：Wideband-Code Division Multiple Access信号）を無線で送受信する機能を有しているので、インターネット５３上に配信されたインターネットテレビ放送を視聴することが可能となっている。尚、図示していないが、携帯電話機５０は地上波アナログテレビ放送を受信して視聴できるようにもなっている。
【００２９】
また、５６は携帯電話機５０がリモコン操作する液晶テレビ（テレビ放送受像機）であり、液晶テレビ５６は電波塔５１ａから送信される地上波デジタルテレビ放送を受信して視聴することが可能であり、また、ゲートウェイ５４ａ、通信回線５５ａ、基地局５２を介してインターネット５３に接続可能である。尚、図示していないが、液晶テレビ５６は、地上波アナログテレビ放送を受信して視聴できるようにもなっている。
【００３０】
また、携帯電話機５０は、液晶テレビ５６を遠隔操作するリモコン信号（操作信号）を送信する機能を有しており、液晶テレビ５６はこの携帯電話機５０からのリモコン信号に応じて選局等の動作を行うようになっている。
【００３１】
このような携帯電話機５０は図２に示すように構成されている。図２において、１は地上波デジタルテレビ放送、地上波アナログテレビ放送、モバイルテレビ放送及び通信信号の受信や通信信号の送信を行うアンテナ、２はアンテナによって送受信される信号を通信用の信号とテレビ放送用の信号に分波する分波器である。
【００３２】
また、３は分波器２によって分波される通信用の信号の送受信を行う無線部、４は無線部３によって送受信される信号に対して所定の信号処理を施すと共にその送受信制御を行う通信制御部である。尚、この通信制御部４で信号処理された音声信号はスピーカ（図示せず）によって出力されると共に、マイク（図示せず）によって入力された音声信号はこの通信制御部３で信号処理されるよう構成されている。
【００３３】
そして、５は分波器２によって分波されたテレビ放送用の信号を受信するチューナ、６はチューナ５によって受信された信号に対して所定の信号処理を施す信号処理部であり、７はＣＣＤやＣＭＯＳによって構成された撮像部、８は撮像部７の近傍に位置し被写体に対して光を照射する発光部、９は撮像部７によって撮影された画像に対して露出・画質等の調整や通信制御部４及び信号処理部６からの映像信号のＭＰＥＧデコードを行う画像処理部、１０は画像処理部９によって調整・デコードされた映像信号や各種表示データを記憶する第１メモリである。
【００３４】
更に、１１は第１メモリ１０に記憶された映像信号や各種表示データに基づいて表示用の駆動信号を生成する第１表示ドライバ、１２は第１表示ドライバ１１からの駆動信号に基づいて映像や文字等を表示する第１表示部、１３は第１表示部１２を背面から照明する第１バックライトであり、１４は第１メモリ１０に記憶された映像信号や各種表示データに基づいて表示用の駆動信号を生成する第２表示ドライバ、１５は第２表示ドライバ１４からの駆動信号に基づいて映像や文字等を表示する第２表示部、１６は第２表示部１５を背面から照明する第２バックライトである。
【００３５】
また、１７は通信制御部４及び信号処理部６並びに画像処理部９からの映像信号・画像信号、電話帳データ、スケジュールデータ、リモコンデータ等の各種情報を記憶する第２メモリ、１８は着脱可能なメモリ（図示せず）に対して書き込みや読み出しを行う外部メモリ接続部である。
【００３６】
そして、１９は電話番号・文字・記号等の入力や各種機能の選択・起動・停止等の指示を行う第１操作部、２０は各種機能の選択・起動・停止等を行う第２操作部であり、２１は赤外線等の光信号を用いて信号の送受信を行う光通信部、２２は光通信部２１によって送受信される信号に対して所定の信号処理を施すと共にその送受信制御を行う光通信制御部である。
【００３７】
更に、２３は携帯電話機５０の開閉状態を検知する開閉検知部、２４は予め記憶されたプログラムや通信回線や着脱可能なメモリを介してダウンロードしたプログラムに従って各部を制御する主制御部であり、これらアンテナ１、分波器２、無線部３、通信制御部４、チューナ５、信号処理部６、撮像部７、発光部８、画像処理部９、第１メモリ１０、第１表示ドライバ１１、第１表示部１２、第１バックライト１３、第２表示ドライバ１４、第２表示部１５、第２バックライト１６、第２メモリ１７、外部メモリ接続部１８、第１操作部１９、第２操作部２０、光通信部２１、光通信制御部２２、開閉検知部２３及び主制御部２４によって携帯電話機５０が構成されている。
【００３８】
次に、図１に示す液晶テレビ５６の構成を図３を参照して説明する。図３において、３１は地上波デジタルテレビ放送・地上波アナログテレビ放送等の受信を行うアンテナ、３２は所望のテレビ放送局の信号を受信するチューナ、３３はチューナ３２によって受信された信号に対して所定の信号処理を施す信号処理部、３４は信号処理部３３からの映像信号のＭＰＥＧデコード等を行う画像処理部、３５は画像処理部３４によって調整・デコードされた映像信号や各種表示データを記憶する第１メモリである。
【００３９】
また、３６は第１メモリ３５に記憶された映像信号や各種表示データに基づいて表示用の駆動信号を生成する表示ドライバ、３７は表示ドライバ３６からの駆動信号に基づいて映像や文字等を表示する表示部、３８は表示部３７を背面から照明するバックライトであり、３９は信号処理部３３及び画像処理部３４からの映像信号・画像信号やスケジュールデータやリモコンデータ等の各種情報を記憶する第２メモリ、４０は着脱可能なメモリ（図示せず）に対して書き込みや読み出しを行う外部メモリ接続部である。
【００４０】
そして、４１は電源のオン・オフやチューニングや選局等の指示を行う操作部、４２は赤外線等の光信号を用いて信号の送受信を行う光通信部、４３は光通信部４２によって送受信される信号に対して所定の信号処理を施すと共にその送受信制御を行う光通信制御部であり、４４はインターネットや電話回線やＬＡＮ等の外部回線に対して信号の送受信を行う外部回線接続部、４５は外部回線接続部４４によって送受信される信号に対して所定の信号処理を行うと共にその送受信制御を行う通信制御部である。
【００４１】
更に、４６は予め記憶されたプログラムや外部回線や着脱可能なメモリを介してダウンロードしたプログラムに従って各部を制御する主制御部であり、これらアンテナ３１、チューナ３２、信号処理部３３、画像処理部３４、第１メモリ３５、表示ドライバ３６、表示部３７、バックライト３８、第２メモリ３９、外部メモリ接続部４０、操作部４１、光通信部４２、光通信制御部４３、外部回線接続部４４、通信制御部４５及び主制御部４６によって液晶テレビ５６が構成されている。
【００４２】
また、このような携帯電話機５０は、図４に示すように、ヒンジ部を介した開閉操作により折り畳み可能に構成されていたり、或いは図５に示すように、回転軸を介した回動操作により折り畳み可能に構成されていたり、また或いは図６に示すように、スライド操作により折り畳み可能に構成されていたりする。但し、図５及び図６に示す構成の場合には、第２表示ドライバ１４及び第２表示部１５並びに第２バックライト１６は不要となる。尚、図４乃至図６に示す携帯電話機の外観図は、いずれも（Ａ）が開いた状態の携帯電話機の正面を示し、（Ｂ）がその背面を示しており、図２と同一の部分には同一の符号を付している。
【００４３】
また、上述の実施形態では、携帯電話機とテレビ放送受像機との間を赤外線等の光通信によって無線接続するようにしたが、無線接続の方式はこれに限定されるものではなく、Bluetooth(2.4GHz帯域を用いる無線伝送方式の一種)や無線ＬＡＮ(Local Area Network)等の電波通信によって無線接続するようにしても良い。
【００４４】
次に、上述のように構成された携帯電話機５０の初期設定動作を説明する。先ず、図３に示す液晶テレビ５６においてチューニングが行われると、放送局情報とチャネルと（テレビ受像機側）受信周波数とリモコン信号との関係を表すテーブルが作成され、リモコンデータとして第２メモリ３９に記憶される。そして、第２メモリ３９に記憶されたリモコンデータは、外部メモリ接続部４０に接続された図示しない外部メモリに記憶されこのリモコンデータが記憶された外部メモリを介して、或いは、光通信部４２または外部回線接続部４４に接続された外部回線を介して、携帯電話機５０に転送される。尚、転送される前記リモコンデータには、液晶テレビ５６の電源をリモコンでオンさせるための電源オン（ＯＮ）信号を含んでいる。
【００４５】
そして、携帯電話機５０において、外部メモリ接続部１８に接続された前記リモコンデータが記憶された外部メモリ（図示せず）を介して、或いは、光通信部２１または通信制御部４を介して転送された前記リモコンデータは、第２メモリ１７に記憶される。また、携帯電話機５０は、基地局５２から得られる位置情報に基づいて自局の位置（地域）を特定し、その自局の位置において視聴可能な地上波デジタルテレビ放送・地上波アナログテレビ放送・モバイルテレビ放送等の放送局情報と受信周波数との関係、及び、前記放送局情報と基地局５２を通じて視聴可能な放送局のＵＲＬ(Uniform Resource Locator)との関係を表すテーブルを作成し、チャネルデータとして第２メモリ１７に記憶する。尚、前記リモコンデータとチャネルデータとは、図７に示すように、放送局情報を基本に互いに関連付けられて第２メモリ１７に記憶される。
【００４６】
次に、上述の初期設定動作が完了した携帯電話機５０について、携帯電話機５０上でテレビ放送を視聴するときの携帯電話機５０の動作制御を、図８及び図９に示すフローチャート、図１０及び図１１に示す説明図に従って説明する。
【００４７】
先ず、携帯電話機５０による通話やテレビ放送の視聴が行われていないとき、携帯電話機５０は操作または着信の待受状態であり（ステップＳ１）、第１表示部１２に図１０に示す画面（待受画面）１０１を表示する。尚、第２操作部２０の各キーは、状態に応じて異なった機能のキーとしてプログラムにより設定される機能キーであり、この待受状態での第２操作部２０の各機能キーは、アドレス帳表示モードに移行するためのアドレスキー、メニュー画面表示モードに移行するためのメニューキー、テレビ放送視聴モードに移行するためのＴＶキーとして設定され、そのように設定されているということが画面１０１の下部に示されている。
【００４８】
次に、携帯電話機５０は、第１操作部１９の数字キーの押下による数字入力が行われたか否か（ステップＳ２）、第２操作部２０のアドレスキーの押下によるアドレス帳表示モードへの移行の選択が行われたか否か（ステップＳ３）、メニューキーの押下によるメニュー画面表示モードへの移行の選択が行われたか否か（ステップＳ４）、ＴＶキーの押下によるテレビ放送視聴モードへの選択が行われたか否か（ステップＳ５）を順に判断する。
【００４９】
そして、アドレスキーが押下された場合は（ステップＳ３）、アドレス帳表示モードに移行し、第２メモリ１７に記憶された電話帳データ等から成るアドレス帳画面（図示せず）を第１表示部１２に表示し（ステップＳ６）、メニューキーが押下された場合は（ステップＳ４）、メニュー画面表示モードに移行し、携帯電話機５０に備えられている各種機能を選択するためのメニュー画面（図示せず）を第１表示部１２に表示する（ステップＳ７）。
【００５０】
また、ＴＶキーが押下された場合は（ステップＳ５）、テレビ放送視聴モードに移行し、先ず、ユーザが視聴を希望する放送局を選局する選局処理を行う（ステップＳ８）。このとき、第２メモリ１７に記憶されているチャネルデータに基づいて、第１表示部１２に視聴可能な放送局を示す画面１０４を表示し、ユーザが容易に放送局を選局できるようにしている。また、この選局処理中には、第２操作部２０の各機能キーは、テレビ放送の視聴をキャンセルするためのキャンセルキー、選局を決定するための決定キー、リモコンモードに移行するためのリモコンキーとして設定され、そのように設定されているということが画面１０４の下部に示されている。そして、このキャンセルキーが押下されると（ステップＳ９）、ステップＳ１の待受状態に戻り、第１表示部１２に画面１０１を表示する。
【００５１】
放送局の選局は、ユーザがカーソル（白抜き反転表示）を上下カーソル移動キーにより、画面１０４で表示されている各放送局の中から希望する放送局が示されている箇所に移動させた後、決定キーを押下することにより行われる。決定キーが押下されると（ステップＳ１１）、選局された放送局のテレビ放送が受信可能かどうかを判断し（ステップＳ１２）、受信可能である場合は、受信可能である全てのソースの中からユーザが希望したソースを選択するソース選択処理を行う（ステップＳ１３）。
【００５２】
例えば、画面１０４の状態で決定キーが押下されると（ステップＳ１１）、１ｃｈ（チャネル）のＡ放送局が選局されたことになり、Ａ放送局のテレビ放送を受信可能かどうかが判断された後（ステップＳ１２）、受信可能であれば、画面１０７に示すように、Ａ放送局のテレビ放送を受信可能なソースを表示する（ステップＳ１３）。
【００５３】
本例では“テレビ放送”、“モバイル放送”、“基地局提供”の３つのソースが示されている。尚、ここで“テレビ放送”とは、図１に示す電波塔５１ａから送信されている地上波デジタルテレビ放送を意味するものであり、“モバイル放送”とは、図１に示す電波塔５１ｂから送信されているモバイルテレビ放送を意味するものであり、“基地局提供”とは、図１に示す基地局５２から送信されているインターネットテレビ放送を意味するものである。尚、この状態でキャンセルキーが押下されると（ステップＳ１４）、ステップＳ９の選局状態に戻り、第１表示部１２に画面１０４を表示する。
【００５４】
そして、画面１０７の状態、即ち、ソースとして“テレビ放送”が選択されている状態で決定キーが押下されると（ステップＳ１５）、選択されたソースは“テレビ放送”なので（ステップＳ１６）、第２メモリ１７に記憶されているチャネルデータから１ｃｈのＡ放送局のテレビ放送受信周波数を読み出し（ステップＳ１７）、その周波数にチューナ５をチューニングして（ステップＳ１８）、第１表示部１２に、画面１０Ａに示すように、Ａ放送局のテレビ放送に基づく映像を表示する（ステップＳ２２）。
【００５５】
このようにして、電波塔５１ａから送信されている地上波デジタルテレビ放送からＡ放送局を選局してＡ放送局のテレビ放送を視聴できるようにしている。尚、画面１０Ａの状態での第２操作部２０の各機能キーは、ソースを変更するためのソースキー、視聴するテレビ放送を変更するための選局キー、リモコンモードに移行するためのリモコンキーとして設定され、そのように設定されているということが画面１０Ａの下部に示されている。そして、このソースキーが押下されると画面１０７の状態に戻り、選局キーが押下されると画面１０４の状態に戻る。
【００５６】
また、例えば、画面１０４の状態から下カーソル移動キーが７回押下されると、画面１０５に示すように、２４ｃｈのＨ放送局を示す箇所にカーソルが移動される。そして、画面１０５の状態で決定キーが押下されると（ステップＳ１１）、２４ｃｈのＨ放送局が選局されたことになり、Ｈ放送局のテレビ放送を受信可能かどうかを判断した後（ステップＳ１２）、受信可能であれば、画面１０８に示すように、Ｈ放送局のテレビ放送を受信可能なソースを表示する（ステップＳ１３）。尚、この状態でキャンセルキーが押下されると（ステップＳ１４）、ステップＳ９の選局状態に戻り、第１表示部１２に画面１０５を表示する。
【００５７】
そして、画面１０８の状態、即ち、ソースとして“モバイル放送”が選択されている状態で決定キーが押下されると（ステップＳ１５）、選択されたソースは“モバイル放送”なので（ステップＳ１９）、第２メモリ１７に記憶されているチャネルデータから２４ｃｈのＨ放送局のモバイル放送受信周波数を読み出し（ステップＳ１７）、その周波数にチューナ５をチューニングして（ステップＳ１８）、第１表示部１２に、画面１０Ｂに示すように、Ｈ放送局からのモバイルテレビ放送に基づく映像を表示する（ステップＳ２２）。
【００５８】
このようにして、電波塔５１ｂから送信されているモバイルテレビ放送からＨ放送局を選局してＨ放送局のテレビ放送を視聴できるようにしている。尚、画面１０Ｂの状態での第２操作部２０の各機能キーは、画面１０Ａの状態のときと同様に設定されており、ソースキーが押下されると画面１０８の状態に戻り、選局キーが押下されると画面１０５の状態に戻る。
【００５９】
また、例えば、画面１０５の状態から下カーソル移動キーが４回押下された後、決定キーが押下されると（ステップＳ１１）、７２ｃｈのＬ放送局が選局されたことになり、Ｌ放送局のテレビ放送を受信可能かどうかを判断した後（ステップＳ１２）、受信可能であれば、画面１０９に示すように、Ｌ放送局のテレビ放送を受信可能なソースを表示する（ステップＳ１３）。尚、この状態でキャンセルキーが押下されると（ステップＳ１４）、ステップＳ９の選局状態に戻り、第１表示部１２に画面１０５を表示する。
【００６０】
そして、画面１０９の状態、即ち、ソースとして“基地局提供”が選択されている状態で決定キーが押下されると（ステップＳ１５）、ソースは“基地局提供”なので（ステップＳ１６，Ｓ１９）、第２メモリ１７に記憶されているチャネルデータから７２ｃｈのＬ放送局のＵＲＬを読み出し（ステップＳ２０）、そのＵＲＬにアクセスして（ステップＳ２１）第１表示部１２に、画面１０Ｃに示すように、Ｌ放送局からのインターネットテレビ放送に基づく映像を表示する（ステップＳ２２）。
【００６１】
このようにして、インターネット５３上に配信されているＬ放送局のインターネットテレビ放送を視聴できるようにしている。尚、画面１０Ｃの状態での第２操作部２０の各機能キーは、ソースを変更するためのソースキー、視聴するテレビ放送の放送局を変更するための選局キーとして設定されており、そのように設定されているということが画面１０Ｃの下部に示されている。そして、ソースキーが押下されると画面１０８の状態に戻り、選局キーが押下されると画面１０５でＬ放送局が選局されている状態に戻る。
【００６２】
また、ステップＳ１の待受状態から、第１操作部１９の数字キーの押下による数字入力が行われた場合（ステップＳ２）、数字入力処理を行う（ステップＳ２３）。例えば、待受画面１０１の状態で“２４”という数字が入力された場合、第１表示部１２に、画面１０２に示すように、入力された“２４”を表示する。このとき、第２操作部２０の各機能キーは、入力された数字の意味する内容を決定する機能キーとして設定されている。即ち、第２操作部２０の各機能キーは、入力された数字をスケジュールの日付を指定する数字とするスケジュールキー、入力された数字を登録されている各電話番号の短縮番号とする発信キー、入力された数字を視聴するテレビ放送局のチャネルナンバーとするＴＶキーとして設定され、そのように設定されているということが画面１０２の下部に示されている。
【００６３】
そして、“２４”という数字が入力された画面１０２の状態（ステップＳ２３）からスケジュールキーが押下された場合（ステップＳ２４）、画面１０６に示すようなスケジュール帳を表示する（ステップ２５）。ここで、入力された数字は現在月における日付を指定する数字となっており、ここでは２４日を示す“２４”が白抜き反転表示で示されている。この状態で決定キーとして設定されている第２操作部２０の機能キーの１つが押下されると、予め登録され第２メモリ１７に記憶されている２４日のスケジュールデータを表示する（図示せず）。尚、上下左右カーソル移動キーによりカーソル（白抜き反転表示）を他の日付を示す数字に移動させた後、決定キーが押下されると、その日付のスケジュールデータを表示する。
【００６４】
また、“２４”という数字が入力された画面１０２の状態（ステップＳ２３）から発信キーが押下された場合（ステップＳ２６）、画面１０３に示すような発信中（ダイヤル中）を意味する発信表示を行う（ステップ２７）。ここで、入力された２４という数字は予め登録されている電話番号の短縮番号となっており、発信キーが押下されたときに短縮番号“２４”に対応する電話番号に発信する。
【００６５】
また、“２４”という数字が入力された画面１０２の状態（ステップＳ２３）からＴＶキーが押下された場合（ステップＳ２８）、テレビ放送視聴のための選局処理を行う（ステップＳ２９）。即ち、入力された“２４”という数字を第２メモリ１７に記憶されているチャネルデータのチャネルナンバーとして選局処理するので、放送局の選局は２４ｃｈのＨ放送局に即座にフォーカスされ（ステップＳ３０）、その後、ステップＳ９に移行し、第１表示部１２に画面１０５を表示する。このように、視聴したいテレビ放送局のチャネルナンバーの入力とＴＶキーを押すだけで希望の放送局の選局が行えるようにして、操作性の向上を図っている。
【００６６】
次に、リモコン信号送信の動作制御を説明する。視聴するテレビ放送の放送局を選局しているステップＳ１０において、リモコンキーとして設定されている第２操作部２０の機能キーの１つが押下されると、リモコン送信確認表示をして（ステップＳ３１）、リモコン信号を送信するか否かを確認する（ステップＳ３３）。また、放送局を選局して決定した後、その放送局のテレビ放送が受信可能かどうかを判定するステップＳ１２において、いずれのソースも受信不可であった場合、リモコン送信確認とともに受信不可ということをユーザに通知するエラー表示を行って（ステップＳ３２）、リモコン信号を送信するか否かを確認する（ステップＳ３３）。
【００６７】
例えば、第１表示部１２の表示が画面１０５である状態から、更に下カーソル移動キーが１回押下されると、図１１の画面１１１に示す選局状態の画面になる（ステップＳ１０）。この状態からリモコンキーが押下されると、画面１１４に示すリモコン送信確認表示を行う（ステップＳ３１）。また、画面１１１の状態（ステップＳ１０）から決定キーが押下され（ステップＳ１１）、３６ｃｈのＩ放送局のテレビ放送が受信可能かどうかを判定し（ステップＳ１２）、受信不可であった場合、受信不可ということをユーザに通知する画面１１２に示すエラー表示を行う（ステップＳ３２）。
【００６８】
その後、リモコン信号を送信するか否かを確認するステップＳ３３に移行するが、このとき、第２操作部２０の各機能キーは、リモコン信号の送信を行うことを選択するための“はい”キー、行わないことを選択するための“いいえ”キーとして設定されており、“いいえ”キーが押下された場合、ステップＳ１の待受状態に戻り、第１表示部１２に画面１１３を表示する。一方、“はい”キーが押下された場合、画面１１５に示す電源オン確認表示をして（ステップＳ３４）、第２メモリ１７に記憶されている電源オン信号を送信するか否かを確認する（ステップＳ３５）。
【００６９】
このとき、第２操作部２０の各機能キーは、電源オン信号の送信を行うことを選択するための“はい”キー、行わないことを選択するための“いいえ”キーとして設定されており、“はい”キーが押下されると、主制御部２４は第２メモリ１７に記憶されているリモコンデータの中から液晶テレビ５６の電源をオンするための電源オン信号を読み出し、読み出した電源オン信号に光通信制御部２２により変調等の所定の信号処理を施した上で光通信制御部２２の通信制御により光通信部２１を介してこの電源オン信号を送信する電源オン信号送信処理を行う（ステップＳ３６）。
【００７０】
そして、ステップＳ３６において光通信部２１から送信された電源オン信号は、図３に示す液晶テレビ５６の光通信部４２により受信され、受信された電源オン信号は光通信制御部４３により復調等の所定の信号処理が施された後、主制御部４６に伝送される。そして、主制御部４６はこの電源オン信号を受けて液晶テレビ５６の電源をオンする。このようにして、携帯電話機５０により液晶テレビ５６の電源をオンにすることができる。
【００７１】
また、前記電源オン信号の送信後、または、ステップＳ３５において“いいえ”キーが押下されると、携帯電話機５０の主制御部２４は、第２メモリ１７に記憶されているリモコンデータの中から液晶テレビ５６で視聴する放送局を選局された放送局に切り換えるためのリモコン信号、本例では３６ｃｈのＩ放送局のリモコン信号を読み出し、読み出したリモコン信号に光通信制御部２２により変調等の所定の信号処理を施した上で光通信制御部２２の通信制御により光通信部２１を介してこのリモコン信号を送信するチャネル切換信号送信処理を行う（ステップＳ３７）。
【００７２】
また、リモコン信号送信後、第１表示部１２に画面１１６に示すリモコン送信中表示をし（ステップＳ３８）、リモコン信号送信開始から所定時間経過後（ステップＳ３９）、選局処理に戻り（ステップＳ９）、第１表示部１２に画面１１１を表示する。
【００７３】
そして、ステップＳ３７において光通信部２１から送信されたリモコン信号は、図３に示す液晶テレビ５６の光通信部４２により受信され、受信されたリモコン信号は光通信制御部４３により復調等の所定の信号処理が施された後、主制御部４６に伝送される。そして、主制御部４６はこのリモコン信号を受けてチューナ３２に受信周波数を３６ｃｈのＩ放送局の受信周波数にチューニングする指示を与え、チューナ３２はＩ放送局のテレビ放送を受信する。このようにして、携帯電話機５０により液晶テレビ５６のチャネル切換を行うことができる。
【００７４】
次に、上述のテレビ放送視聴開始動作が完了した携帯電話機５０について、ユーザの操作に基づく任意のタイミングでのリモコン信号の送信動作、携帯電話機５０の駆動電源としてのバッテリ（電池：図示せず）の残容量低下に基づくリモコン信号の送信動作、及び、通話着信に基づくリモコン信号の送信動作を、図１２乃至図１４に示すフローチャート、図１５乃至図１７に示す説明図に従って説明する。
【００７５】
先ず、携帯電話機５０上でのテレビ放送の視聴が行われているとき、第１表示部１２には、図１５に示す画面（待受画面）１２１のように、選局された放送局のテレビ放送に基づく映像、本例では１ｃｈのＡ放送局の地上波デジタルテレビ放送に基づく映像が表示されている（ステップＳ５０）。このとき、第２操作部２０の各機能キーは、ソースを変更するためのソースキー、視聴するテレビ放送を変更するための選局キー、リモコンモードに移行するためのリモコンキーとして設定され、そのように設定されているということが画面１２１の下部に示されている。
【００７６】
そして、主制御部２４はテレビ放送に基づく映像表示中、これらソースキー、選局キー、リモコンキーが押下されたか否か、また、（電池：図示せず）バッテリ（図示せず）の残容量が所定の量より少なくなっている否か、また、通話着信があったか否かを監視しており、選局キーが押下されると（ステップＳ５１）、選局処理状態（図８に示すステップＳ９）に戻り、ソースキーが押下されると（ステップＳ５２）、ソース選択処理状態（図９に示すステップＳ１３）に戻る。
【００７７】
また、映像表示中にリモコンキーが押下されると（ステップＳ５３）、リモコン送信確認表示をして（ステップＳ６０）、リモコン信号を送信するか否かを確認する（ステップＳ６１）。例えば、図１５に示す画面１２１の映像表示状態からリモコンキーが押下されると（ステップＳ５３）、画面１２２に示すリモコン送信確認表示をして（ステップＳ６０）、リモコン信号を送信するか否かを確認する（ステップＳ６１）。
【００７８】
このとき、第２操作部２０の各機能キーは、リモコン信号の送信を行うことを選択するための“はい”キー、行わないことを選択するための“いいえ”キーとして設定され、“いいえ”キーが押下された場合、ステップＳ５０の映像表示状態に戻り、第１表示部１２に画面１２１を表示する。一方、“はい”キーが押下された場合、画面１２３に示す電源オン確認表示をして（ステップＳ６２）、第２メモリ１７に記憶されている電源オン信号を送信するか否かを確認する（ステップＳ６３）。
【００７９】
このとき、第２操作部２０の各機能キーは、電源オン信号の送信を行うことを選択するための“はい”キー、行わないことを選択するための“いいえ”キーとして設定され、“はい”キーが押下されると、主制御部２４は第２メモリ１７に記憶されているリモコンデータの中から液晶テレビ５６の電源をオンするための電源オン信号を読み出し、読み出した電源オン信号に光通信制御部２２により変調等の所定の信号処理を施した上で光通信制御部２２の通信制御により光通信部２１を介してこの電源オン信号を送信する電源オン信号送信処理を行う（ステップＳ６４）。
【００８０】
そして、ステップＳ６４において光通信部２１から送信された電源オン信号は、液晶テレビ５６の光通信部４２により受信され、受信された電源オン信号は光通信制御部４３により復調等の所定の信号処理が施された後、主制御部４６に伝送される。そして、主制御部４６はこの電源オン信号を受けて液晶テレビ５６の電源をオンする。このようにして、携帯電話機５０により液晶テレビ５６の電源をオンにすることができる。
【００８１】
また、前記電源オン信号の送信後、または、ステップＳ６３において“いいえ”キーが押下されると、携帯電話機５０の主制御部２４は、第２メモリ１７に記憶されているリモコンデータの中から液晶テレビ５６で視聴する放送局を選局された放送局に切り換えるためのリモコン信号、本例では１ｃｈのＡ放送局のリモコン信号を読み出し、読み出したリモコン信号に光通信制御部２２により変調等の所定の信号処理を施した上で光通信制御部２２の通信制御により光通信部２１を介してこのリモコン信号を送信するチャネル切換信号送信処理を行う（ステップＳ６５）。
【００８２】
また、リモコン信号送信後、携帯電話機５０の第１表示部１２に画面１２６に示すリモコン送信中表示をし（ステップＳ６６）、更に、リモコン信号送信開始から所定時間経過後（ステップＳ６７）、画面１２５に示す映像表示終了確認のための表示をして（ステップＳ６８）、映像表示を終了するか否かを確認する（ステップＳ６９）。このとき、第２操作部２０の各機能キーは、映像表示を終了することを選択するための“はい”キー、終了しないことを選択するための“いいえ”キーとして設定され、“はい”キーが押下されると、携帯電話機５０は操作または着信の待受状態に戻り（図８に示すステップＳ１）、第１表示部１２に画面１２４を表示する。一方、“いいえ”キーが押下されると、携帯電話機５０は映像表示状態に戻り（ステップＳ５０）、第１表示部１２に画面１２１を表示する。
【００８３】
ステップＳ６５において光通信部２１から送信されたリモコン信号は、液晶テレビ５６の光通信部４２により受信され、受信されたリモコン信号は光通信制御部４３により復調等の所定の信号処理が施された後、主制御部４６に伝送される。そして、主制御部４６はこのリモコン信号を受けてチューナ３２に受信周波数を１ｃｈのＡ放送局の受信周波数にチューニングする指示を与え、チューナ３２はＡ放送局のテレビ放送を受信する。このようにして、携帯電話機５０により視聴しているテレビ放送を携帯電話機５０の簡単な操作により容易に液晶テレビ５６でも視聴できるようにすることができる。
【００８４】
次に、テレビ放送に基づく映像表示中、例えば、図１６に示す画面１３１の状態から主制御部２４が、バッテリの残容量が所定量より少なくなっていることを検知した場合（ステップＳ５４）、画面１３２に示すように、バッテリ残容量が少なくなったため映像表示を終了（停止）することを通知するとともにリモコン信号の送信を確認するためのリモコン送信確認表示をして（ステップＳ７０）、リモコン信号を送信するか否かを確認する（ステップＳ７１）。
【００８５】
このとき、第２操作部２０の各機能キーは、リモコン信号の送信を行うことを選択するための“はい”キー、行わないことを選択するための“いいえ”キーとして設定され、“いいえ”キーが押下された場合、図８に示すステップＳ１の待受状態に戻り、第１表示部１２に画面１３４を表示する。一方、“はい”キーが押下された場合、画面１３３に示す電源オン確認表示をして（ステップＳ７２）、第２メモリ１７に記憶されている電源オン信号を送信するか否かを確認する（ステップＳ７３）。
【００８６】
このとき、第２操作部２０の各機能キーは、電源オン信号の送信を行うことを選択するための“はい”キー、行わないことを選択するための“いいえ”キーとして設定され、“はい”キーが押下されると、主制御部２４は第２メモリ１７に記憶されているリモコンデータの中から液晶テレビ５６の電源をオンするための電源オン信号を読み出し、読み出した電源オン信号に光通信制御部２２により変調等の所定の信号処理を施した上で光通信制御部２２の通信制御により光通信部２１を介してこの電源オン信号を送信する電源オン信号送信処理を行う（ステップＳ７４）。
【００８７】
そして、ステップＳ７４において光通信部２１から送信された電源オン信号は、液晶テレビ５６の光通信部４２により受信され、受信された電源オン信号は光通信制御部４３により復調等の所定の信号処理が施された後、主制御部４６に伝送される。そして、主制御部４６はこの電源オン信号を受けて液晶テレビ５６の電源をオンする。このようにして、携帯電話機５０により液晶テレビ５６の電源をオンにすることができる。
【００８８】
また、前記電源オン信号の送信後、または、ステップＳ７３において“いいえ”キーが押下されると、携帯電話機５０の主制御部２４は、第２メモリ１７に記憶されているリモコンデータの中から液晶テレビ５６で視聴する放送局を選局された放送局に切り換えるためのリモコン信号、本例では１ｃｈのＡ放送局のリモコン信号を読み出し、読み出したリモコン信号に光通信制御部２２により変調等の所定の信号処理を施した上で光通信制御部２２の通信制御により光通信部２１を介してこのリモコン信号を送信するチャネル切換信号送信処理を行う（ステップＳ７５）。
【００８９】
また、リモコン信号送信後、携帯電話機５０の第１表示部１２に画面１３５に示すリモコン送信中表示をし（ステップＳ７６）、更に、リモコン信号送信開始から所定時間経過後（ステップＳ７７）、待受状態に戻り（図８に示すステップＳ１）、第１表示部１２に画面１３４を表示する。
【００９０】
ステップＳ７５において光通信部２１から送信されたリモコン信号は、液晶テレビ５６の光通信部４２により受信され、受信されたリモコン信号は光通信制御部４３により復調等の所定の信号処理が施された後、主制御部４６に伝送される。そして、主制御部４６はこのリモコン信号を受けてチューナ３２に受信周波数を１ｃｈのＡ放送局の受信周波数にチューニングする指示を与え、チューナ３２はＡ放送局のテレビ放送を受信する。
【００９１】
このようにして、テレビ放送視聴中の携帯電話機５０のバッテリ残容量が少なくなったときに、映像表示を強制的に終了して携帯電話機５０の電力消費を抑制するとともに、携帯電話機５０により視聴していたテレビ放送を、携帯電話機５０による映像表示を終了させる前に携帯電話機５０の簡単な操作により容易に液晶テレビ５６で視聴できるようにしたので、ユーザはテレビ放送を中断することなく継続して視聴することができる。
【００９２】
また、通信回線を介してインターネットテレビ放送を視聴しているとき、例えば、画面１３６に示すように、ソースを“基地局提供”とすることにより、図１に示す基地局５２、通信回線５５ａ、ゲートウェイ５４ａを介してインターネット５３にアクセスし、インターネット５３に配信されているＬ放送局のテレビ放送を視聴しているときに、主制御部２４が、バッテリの残容量が所定量より少なくなっていることを検知した場合、この場合はリモコン信号を送信せずに画面１３７に示すように、バッテリ残容量が少なくなったため映像表示を終了することを通知した後、“ＯＫ”キーとして設定されている第２操作部２０の機能キーの１つが押下されるか、または所定時間が経過すると、待受状態に戻り第１表示部１２に画面１３４を表示する。
【００９３】
次に、テレビ放送に基づく映像表示中、例えば、図１７に示す画面１４１の状態から主制御部２４が通話着信を検出した場合（ステップＳ５５）、先ず、第２メモリ１７に記憶されている電話帳データから発呼者を検索する電話帳検索を行い（ステップＳ８０）、次に、画面１４２に示すように、検索した発呼者の情報と着信を受けているということを通知するとともに、通話応答をするかどうかを確認するための着信表示をして（ステップＳ８１）、通話応答するか否かを確認する（ステップＳ８２）。
【００９４】
このとき、第２操作部２０の各機能キーは、通話応答をすることを選択するための“はい”キー、しないことを選択するための“いいえ”キーとして設定され、“いいえ”キーが押下された場合、着信拒否処理を行い（ステップＳ８３）、その後、ステップＳ５０の映像表示状態に戻り、第１表示部１２に画面１４１を表示する。一方、“はい”キーが押下された場合、画面１４３に示すリモコン送信確認表示をして（ステップＳ８４）、リモコン信号を送信するか否かを確認する（ステップＳ８５）。
【００９５】
このとき、第２操作部２０の各機能キーは、リモコン信号の送信を行うことを選択するための“はい”キー、行わないことを選択するための“いいえ”キーとして設定され、“いいえ”キーが押下された場合、着信を受け付けて通話を開始し（ステップＳ８６）、第１表示部１２に画面１４４を表示する。一方、“はい”キーが押下された場合、画面１４５に示す電源オン確認表示をして（ステップＳ８７）、第２メモリ１７に記憶されている電源オン信号を送信するか否かを確認する（ステップＳ８８）。尚、“はい”キー、または“いいえ”キーによる通話応答の確認に対しての応答が無い場合であっても、オフフックボタンの押下や携帯電話機５０を開状態に開くなどのユーザの通話開始動作が行われたことを検知した場合は、着信を受け付けて通話を開始し（ステップＳ８６）、第１表示部１２に画面１４４を表示する。
【００９６】
また、ステップＳ８８の電源オン信号の送信確認状態において、第２操作部２０の各機能キーは、電源オン信号の送信を行うことを選択するための“はい”キー、行わないことを選択するための“いいえ”キーとして設定され、“はい”キーが押下されると、主制御部２４は第２メモリ１７に記憶されているリモコンデータの中から液晶テレビ５６の電源をオンするための電源オン信号を読み出し、読み出した電源オン信号に光通信制御部２２により変調等の所定の信号処理を施した上で光通信制御部２２の通信制御により光通信部２１を介してこの電源オン信号を送信する電源オン信号送信処理を行う（ステップＳ８９）。
【００９７】
そして、ステップＳ８９において光通信部２１から送信された電源オン信号は、液晶テレビ５６の光通信部４２により受信され、受信された電源オン信号は光通信制御部４３により復調等の所定の信号処理が施された後、主制御部４６に伝送される。そして、主制御部４６はこの電源オン信号を受けて液晶テレビ５６の電源をオンする。このようにして、携帯電話機５０により液晶テレビ５６の電源をオンにすることができる。
【００９８】
また、前記電源オン信号の送信後、または、ステップＳ８８において“いいえ”キーが押下されると、携帯電話機５０の主制御部２４は、第２メモリ１７に記憶されているリモコンデータの中から液晶テレビ５６で視聴する放送局を選局された放送局に切り換えるためのリモコン信号、本例では１２ｃｈのＨ放送局のリモコン信号を読み出し、読み出したリモコン信号に光通信制御部２２により変調等の所定の信号処理を施した上で光通信制御部２２の通信制御により光通信部２１を介してこのリモコン信号を送信するチャネル切換信号送信処理を行う（ステップＳ９０）。
【００９９】
また、リモコン信号送信後、携帯電話機５０の第１表示部１２に画面１４８に示すリモコン送信中表示をし（ステップＳ９１）、更に、リモコン信号送信開始から所定時間経過後（ステップＳ９２）、画面１４７に示す映像表示終了確認のための表示をして（ステップＳ９３）、映像表示を終了するか否かを確認する（ステップＳ９４）。このとき、第２操作部２０の各機能キーは、映像表示を終了することを選択するための“はい”キー、終了しないことを選択するための“いいえ”キーとして設定され、“はい”キーが押下されると、着信を受け付けて通話を開始する（ステップＳ８６）。このとき、第１表示部１２の表示は画面１４４のようになる。一方、“いいえ”キーが押下されると、着信を受け付けて通話を開始するとともに映像表示状態になる（ステップＳ９５）。このとき、第１表示部１２の表示は画面１４６のようになる。
【０１００】
また、ステップＳ９０において光通信部２１から送信されたリモコン信号は、液晶テレビ５６の光通信部４２により受信され、受信されたリモコン信号は光通信制御部４３により復調等の所定の信号処理が施された後、主制御部４６に伝送される。そして、主制御部４６はこのリモコン信号を受けてチューナ３２に受信周波数を１２ｃｈのＨ放送局の受信周波数にチューニングする指示を与え、チューナ３２はＨ放送局のテレビ放送を受信する。このようにして、携帯電話機５０によるテレビ放送の視聴中に着信した場合であっても、携帯電話機５０で視聴しているテレビ放送を携帯電話機５０の簡単な操作により容易に液晶テレビ５６で視聴できるようにすることができるので、ユーザは着信を受け付けて通話をしながら、テレビ放送を中断することなく継続して視聴することができる。
【０１０１】
なお、上述の動作制御では、通話着信があったとき、通話着信を受けた旨の表示を行い、その後、ユーザの操作によってリモコン信号を送信するようにしたが、これに限定されるものではなく、通話着信があったとき、リモコン信号を送信する旨の表示を行い、その後、自動的にリモコン信号を送信するようにしても良く、また、リモコン信号の送信要否や電源のオン要否を事前に登録しておき、バッテリ残容量が少なくなったとき及び通話着信を受けたときのユーザによる操作を無くすようにしても良い。更に、その設定と自局の位置情報とを関連付けて記憶しておき、自局の位置に応じて自動的に設定状況が変わるようにしても良く、そのように構成することでユーザによる利便性を高めることができる。
【０１０２】
また、上述の実施の形態では、テレビ放送を受信するテレビ放送受信部と基地局との信号の送受信を行う通信部とを備えた携帯電話機について説明したが、通信部を備えていない携帯型テレビ受像機等のように、テレビ放送受信部のみを備えた携帯端末装置であっても、また、テレビ放送受信部を備えておらず通信部のみを備えた携帯端末装置であっても、本発明は適用可能である。
【０１０３】
尚、本発明は上述の実施形態に限定されるものではなく、本発明の趣旨を逸脱しない範囲において各部の構成等を適宜に変更して実施することも可能である。
【産業上の利用可能性】
【０１０４】
以上説明したように、本発明によると、テレビ放送を受信するテレビ放送受信手段と、無線基地局と通信信号の送受信を行う通信手段と、前記テレビ放送受信手段により受信されたテレビ放送及び／または前記通信手段により受信された通信信号に含まれるテレビ放送に基づく映像を表示する表示手段とを備える携帯端末装置において、テレビ放送受像機を遠隔操作するためのリモコンデータと前記テレビ放送受信手段及び／または前記通信手段により受信可能なテレビ放送の放送局情報を含むチャネルデータとを記憶する記憶手段と、前記表示手段により表示中の映像に対応する放送局への選局を前記テレビ放送受像機に対して指示する操作信号を前記リモコンデータとチャネルデータに基づいて生成する制御手段と、前記操作信号を送信する送信手段とを設けたので、携帯端末装置からテレビ放送受像機の選局を携帯端末装置で表示中の映像に対応する放送局へ遠隔操作で切り換えるための操作信号を送信することにより、携帯端末装置で視聴中のテレビ放送受信手段または通信手段で受信したテレビ放送に基づく映像を、煩雑な操作を要することなく、据え置き型等のテレビ放送受像機で表示させることができる。
【図面の簡単な説明】
【０１０５】
【図１】本発明の実施形態の携帯電話機を用いたテレビ放送受信システムの概要を示す説明図である。
【図２】図１の携帯電話機の構成を示す機能ブロック図である。
【図３】図１の携帯電話機がリモコン操作するテレビ放送受像機の構成を示す機能ブロック図である。
【図４】図１の携帯電話機の外観構成の一例を示す外観図である。
【図５】図１の携帯電話機の外観構成の他の例を示す外観図である。
【図６】図１の携帯電話機の外観構成の更に他の例を示す外観図である。
【図７】図１の携帯電話機におけるチャネルデータ及びリモコンデータのデータ構成を示す説明図である。
【図８】図１の携帯電話機におけるテレビ放送視聴開始時の動作制御を示すフローチャートである。
【図９】図８の続きを示すフローチャートである。
【図１０】図１の携帯電話機におけるテレビ放送視聴開始時の画面遷移を示す説明図である。
【図１１】図１の携帯電話機におけるテレビ放送視聴開始時の他の画面遷移を示す説明図である。
【図１２】図１の携帯電話機におけるテレビ放送視聴時の動作制御を示すフローチャートである。
【図１３】図１２の続きを示すフローチャートである。
【図１４】図１２の更に続きを示すフローチャートである。
【図１５】図１の携帯電話機におけるテレビ放送視聴時の画面遷移を示す説明図である。
【図１６】図１の携帯電話機におけるテレビ放送視聴時の他の画面遷移を示す説明図である。
【図１７】図１の携帯電話機におけるテレビ放送視聴時の更に他の画面遷移を示す説明図である。
【符号の説明】
【０１０６】
１    アンテナ
２    分波器
３    無線部（通信手段）
４    通信制御部
５    チューナ（テレビ放送受信手段）
６    信号処理部
７    撮像部
８    発光部
９    画像処理部
１０    第１メモリ
１１    第１表示ドライバ
１２    第１表示部（表示手段）
１３    第１バックライト
１４    第２表示ドライバ
１５    第２表示部
１６    第２バックライト
１７    第２メモリ（記憶手段）
１８    外部メモリ接続部
１９    第１操作部
２０    第２操作部
２１    光通信部（送信手段）
２２    光通信制御部
２３    開閉検知部
２４    主制御部（制御手段）
５０    携帯電話機（携帯端末装置）
５６    液晶テレビ（テレビ放送受像機）
【図１】
2005210260.tif 000003
【図２】
2005210260.tif 000004
【図３】
2005210260.tif 000005
【図４】
2005210260.tif 000006
【図５】
2005210260.tif 000007
【図６】
2005210260.tif 000008
【図７】
2005210260.tif 000009
【図８】
2005210260.tif 000010
【図９】
2005210260.tif 000011
【図１０】
2005210260.tif 000012
【図１１】
2005210260.tif 000013
【図１２】
2005210260.tif 000014
【図１３】
2005210260.tif 000015
【図１４】
2005210260.tif 000016
【図１５】
2005210260.tif 000017
【図１６】
2005210260.tif 000018
【図１７】
2005210260.tif 000019